(57)【要約】ピックアップ装置（５）は、筐体としてのピックアップボディ（５１）と、ピックアップボディと熱的に接続された熱源（６１）と、熱源からの距離が互いに異なると共にピックアップボディに属する２つの固定部（１３１、１３２）を少なくとも含む複数固定部で、ピックアップボディに固定された光学部品（１３）とを備える。そして、上記ピックアップボディには、２つの固定部のうち少なくとも一方の固定部（１３２）が、熱源からの距離に応じた熱膨張によって変位するのを妨げる要因である拘束力（F）を低減する方向に、所定幅のスリット（１００、１０１）が少なくとも１本形成されている。
2008029437.tif 000002
【特許請求の範囲】
【請求項１】
筐体としてのピックアップボディと、
前記ピックアップボディと熱的に接続された熱源と、
前記熱源からの距離が互いに異なると共に前記ピックアップボディに属する２つの固定部を少なくとも含む複数固定部で、前記ピックアップボディに固定された光学部品と
を備えるピックアップ装置であって、
前記ピックアップボディには、前記２つの固定部のうち少なくとも一方の固定部が、前記熱源からの距離に応じた熱膨張によって変位するのを妨げる要因である拘束力を低減する方向に、所定幅のスリットが少なくとも１本形成されている
ことを特徴とするピックアップ装置。
【請求項２】
前記スリットが形成される方向は、前記固定された光学部品を透過又は反射するレーザ光の光軸と交わる
ことを特徴とする請求項１に記載のピックアップ装置。
【請求項３】
前記スリットが形成される方向は、前記２つの固定部若しくは前記２つの固定部の各々に属する２点を結んでなる直線に沿う
ことを特徴とする請求項１に記載のピックアップ装置。
【請求項４】
前記少なくとも一方の固定部は、前記２つの固定部のうち、変位量が小さい固定部である
ことを特徴とする請求項１に記載のピックアップ装置。
【請求項５】
前記２つの固定部は、前記ピックアップボディの底面に属する第1固定部及び該底面から立つ横壁の壁面に属する第２固定部である
ことを特徴とする請求項１に記載のピックアップ装置。
【請求項６】
前記スリットは、前記ピックアップボディの底面及び該底面から立つ横壁の壁面の夫々に形成されている
ことを特徴とする請求項５に記載のピックアップ装置。
【請求項７】
前記ピックアップボディの底面及び該底面から立つ横壁の壁面の夫々に形成される前記スリットが、互いに連結するように形成されている
ことを特徴とする請求項６に記載のピックアップ装置。
【請求項８】
前記スリットは、前記２つの固定部のうちの一方の固定部が属する前記ピックアップボディの面及び前記２つの固定部のうちの他方の固定部が属する面の夫々に形成されていることを特徴とする請求項１に記載のピックアップ装置。
【請求項９】
前記２つの固定部のうちの一方の固定部が属する前記ピックアップボディの面及び前記２つの固定部のうちの他方の固定部が属する面の夫々に形成されている前記スリットが、互いに連結するように形成されている
ことを特徴とする請求項８に記載のピックアップ装置。
【発明の詳細な説明】
【技術分野】
【０００１】
本発明は、例えば熱膨張に起因する光軸ズレを緩和することが可能なピックアップ装置装置の技術分野に関する。
【背景技術】
【０００２】
この種のピックアップ装置に備わる光学部品近傍には、高温発熱源となる部品（laser diode：LD, laser diode driver：LDDなど）が配置されている。このような高温発熱源は一般に、光軸ズレの原因となり得る。例えば、光学部品の一例であるハーフミラーと、ピックアップボディの一部である２つの支持部材とが各２点ずつ、計４点の接着剤で固定されているとする。このとき、各々の材料が異なるため、熱膨張係数も異なる。このため、各部位に熱が加わった場合には、各部位に異なった延びが発生する。この場合、４点の接着剤のうち、いずれか１点の接着剤の位置が、他の３点の接着剤によって規定された取付面からズレる。従って、この１点の接着剤が剥離し易くなり、剥離した場合には、光ピックアップ装置の光軸が狂ってしまう、いわゆる光軸ズレが生じるおそれがある。【０００３】
このような光軸ズレに対処するため、例えばハーフミラーを、その両側面と２つの支持部材との間に滴下した計３点の接着剤によって固定する技術が提案されている（特許文献１参照）。この技術によると、３点の接着剤によって規定された取付面には捩れが発生することはないので、いずれかの接着剤が剥離するのを防止することができる。すなわち、光軸ズレを低減可能であるという。【０００４】
【特許文献１】特開２００２−１０００６２号公報
【発明の開示】
【発明が解決しようとする課題】
【０００５】
しかしながら、例えば前述の特許文献１に開示されている技術によると、接着剤が剥離するのを防止できるものの、依然として以下のような問題が生じ得る。即ち、発熱源の熱がピックアップボディに伝わりピックアップボディを変形させるので、このピックアップボディに固定されたハーフミラーも変位してしまい、依然として光軸ズレが残存するおそれがある。言い換えれば、接着剤の剥離は免れるのでハーフミラーは接着されたままだが、膨張するピックアップボディと共にハーフミラーが傾いてしまい、その結果光軸ズレが残存するおそれがある。【０００６】
本発明は、例えば上述した問題点に鑑みてなされたものであり、熱膨張に起因する光軸ズレを好適に低減することが可能なピックアップ装置を提供することを課題とする。
【課題を解決するための手段】
【０００７】
本発明のピックアップ装置は上述の課題を解決するために、筐体としてのピックアップボディと、前記ピックアップボディと熱的に接続された熱源と、前記熱源からの距離が互いに異なると共に前記ピックアップボディに属する２つの固定部を少なくとも含む複数固定部で、前記ピックアップボディに固定された光学部品とを備えるピックアップ装置であって、前記ピックアップボディには、前記２つの固定部のうち少なくとも一方の固定部が、前記熱源からの距離に応じた熱膨張によって変位するのを妨げる要因である拘束力を低減する方向に、所定幅のスリットが少なくとも１本形成されている。【０００８】
このピックアップ装置によれば、ピックアップボディが筐体として備えられており、このピックアップボディには、熱源が熱的に接続されている。「熱源」とは、例えばＬＤ、ＬＤＤのように発熱を伴う各種部品である。「熱的に接続されている」とは、互いに熱の授受が可能な状態をいう。そして、レンズ或いはミラー等の光学部品が、熱源からの距離が互いに異なる２つの固定部を少なくとも含む複数固定部で、ピックアップボディに固定されている。前記２つの固定部は、例えば光学部品と接着剤で張り合わされているピックアップボディの底面の一部及び横壁の壁面の一部を指す。なお、前記２つの固定部は、熱源からの距離が互いに異なれば足り、分離されている必要はない。例えば、横壁の壁面において接着剤が塗布されている領域内から選択された互いに隣接する２部分でも、この領域は空間的な広がりをもち熱源からの距離は互いに異なるため前記２つの固定部に該当し得る。【０００９】
ここで、ピックアップ装置の作動時には、熱源が発熱するので、この熱源からの距離に応じた熱膨張により、前記２つの固定部は夫々変位する。そして、前記２つの固定部は熱源からの距離が互いに異なるので、それに応じて変位する場合の変位量も互いに異なる。このとき、仮に何ら対策がなされなければ、前記２つの固定部の変位量の差によって、前記２つの固定部を結ぶ直線が熱膨張していないときに比べて傾く。即ち、固定された光学部品が傾き、熱膨張に起因した光軸ズレが生じるおそれがある。【００１０】
然るに、本発明に係るピックアップボディには、前記２つの固定部のうち少なくとも一方の固定部が、熱源からの距離に応じた熱膨張によって変位するのを妨げる要因である拘束力を低減する方向に、所定幅のスリットが少なくとも１本形成されている。従って、上記光軸ズレを以下のようにして低減できる。ここで「スリット」とは、すき間、細長い孔、細長い切口のことであり、その切口の形状は特に問わない。「所定幅」は、厳密には、熱膨張の程度、スリットの深さ、金型の強度、或いはピックアップ装置のスケール等によって規定され得る値であるが、簡単には、例えば０．３［ｍｍ］のように決め打ちされた値を採用しても大なり小なり効果が得られる。「拘束力」とは、前記２つの固定部のうち少なくとも一方の固定部が変位するのを妨げる要因であり、この一方の固定部と一体的に形成されている周囲の部材から受ける力、具体的に例えば材料を固体たらしめる分子間力を示す。「拘束力を低減する方向」は、具体的に例えば拘束力と交わる方向、或いは当該拘束力を断絶する方向である。さてここで、この一方の固定部と他方の固定部とは同じピックアップボディに属しており機械的に接続されているので、他方の固定部の熱膨張による変位に伴って、この一方の固定部も変位し得る。この際、上述したスリットが形成されているので、この一方の固定部に働く拘束力が低減されて、この一方の固定部は変位し易くなっている。即ち、両固定部の変位量の差は、スリットが形成されていない場合に比べて小さい。従って、前記２固定部を結ぶ直線が傾く程度も軽減される。故に、固定された光学部品の傾きも軽減され、熱膨張に起因した光軸ズレを好適に低減することが可能となり、実践上非常に有利である。【００１１】
本発明のピックアップ装置の他の態様では、前記スリットが形成される方向は、前記固定された光学部品を透過又は反射するレーザ光の光軸と交わる。【００１２】
この態様によれば、固定された光学部品を透過又は反射するレーザ光の光軸と交わる方向にスリットが形成される。言い換えれば、スリットの深さ方向が、光軸と交わる方向である。ここで、光軸に沿った方向に働く拘束力は、光軸に沿った方向の変位量に影響を与えるので、光軸に対して光学部品を傾かせて光軸ズレを生じさせ得る。然るに、上述のようにスリットが形成されているので、このような拘束力が低減され、光軸に沿った方向の変位量の差を低減して、光軸ズレを好適に低減できる。【００１３】
本発明のピックアップ装置の一態様では、前記スリットが形成される方向は、前記２つの固定部若しくは前記２つの固定部の各々に属する２点を結んでなる直線に沿う。【００１４】
この態様によれば、前記２つの固定部を結んでなる直線に沿った方向にスリットが形成される。ただし、前記２つの固定部は厳密には点ではないため、両者を結ぶ直線を定義するのが困難である。この場合、前記２つの固定部に代えて、前記２つの固定部の各々に属する２点を選択してもよい。例えば、前記２つの固定部の形状が共に長方形であれば、両長方形の中心点を選択するとよい。このようにスリットが形成されれば、上記直線と交わる方向に働く拘束力を断絶して低減できる。従って、前記２つの固定部を結ぶ直線が傾く程度も軽減される。故に、光軸ズレを好適に低減できる。【００１５】
本発明のピックアップ装置の他の態様では、前記少なくとも一方の固定部は、前記２つの固定部のうち、変位量が小さい固定部である。【００１６】
この態様によれば、熱膨張に伴って変位する２つの固定部のうち少なくとも、変位量が小さい一方の固定部に対しての拘束力が低減される。言い換えれば、熱源からの距離が長い一方の固定部に対しての拘束力が低減される。故に、他方が比較的大きく変位するのに伴って、前記一方の固定部が拘束力による足かせなく変位する。従って、両固定部の変位量の差を、スリットが形成されていない場合に比べて低減できる。【００１７】
本発明のピックアップ装置の他の態様では、前記２つの固定部は、前記ピックアップボディの底面に属する第1固定部及び該底面から立つ横壁の壁面に属する第２固定部である。【００１８】
この態様によれば、光学部品が、ピックアップボディの底面に属する第1固定部及び壁面に属する第２固定部の２つの固定部で固定されている。このとき、底面及び壁面とでは熱源からの距離が互いに異なるため、両固定部の変位量も異なり、光軸ズレが生じ得る。然るに、この態様によれば、スリットが底面又は壁面のうち少なくとも一方の固定部について形成されている。例えば、スリットが壁面に形成されている。すると、壁面での拘束力が低減され、底面に属する第1固定部に合わせて、壁面に属する第２固定部も変位し易くなる。従って、両固定部の変位量の差を、スリットが形成されていない場合に比べて低減できる。【００１９】
本実施形態に係るピックアップ装置の他の態様では、前記スリットは、前記ピックアップボディの底面及び該底面から立つ横壁の壁面の夫々に形成されている。【００２０】
この態様によれば、例えば、光学部品がピックアップボディの底面に属する第1固定部及び壁面に属する第２固定部の２つの固定部で固定されている場合に、壁面のみならず、底面における熱膨張による変位の影響が緩和される。言い換えれば、熱膨張時に、両固定部の変位による、光学部品の傾きに対する影響が共に緩和される。従って、光軸ズレを一段と低減できる。【００２１】
この態様では、前記ピックアップボディの底面及び該底面から立つ横壁の壁面の夫々に形成される前記スリットが、互いに連結するように形成されてもよい。【００２２】
この態様によれば、例えば、光学部品がピックアップボディの底面に属する第1固定部及び壁面に属する第２固定部の２つの固定部で固定されている場合に、スリットが壁面から底面にかけて形成される。従って、第1固定部と第２固定部との変位量が一段と揃うので、光軸ズレを一段と低減できる。【００２３】
本実施形態に係るピックアップ装置の他の態様では、前記スリットは、前記２つの固定部のうちの一方の固定部が属する前記ピックアップボディの面及び前記２つの固定部のうちの他方の固定部が属する面の夫々に形成されている。【００２４】
この態様によれば、例えば、光学部品がピックアップボディの一の面に属する固定部及びピックアップボディの他の面に属する固定部の２つの固定部で固定されている場合に、一の面のみならず、他の面における熱膨張による変位の影響が緩和される。言い換えれば、熱膨張時に、両固定部の変位による、光学部品の傾きに対する影響が共に緩和される。従って、光軸ズレを一段と低減できる。【００２５】
この態様では、前記２つの固定部のうちの一方の固定部が属する前記ピックアップボディの面及び前記２つの固定部のうちの他方の固定部が属する面の夫々に形成されている前記スリットが、互いに連結するように形成されてもよい。【００２６】
この態様によれば、例えば、光学部品がピックアップボディの一の面に属する固定部及びピックアップボディの他の面に属する固定部の２つの固定部で固定されている場合に、スリットが壁面から底面にかけて形成される。従って、２つの固定部の間の変位量が一段と揃うので、光軸ズレを一段と低減できる。【００２７】
以上説明したように、本発明のピックアップ装置によれば、ピックアップボディ、熱源、光学部品、及びスリットを備えるので、熱膨張に起因した光軸ズレを好適に低減可能である。
【図面の簡単な説明】
【００２８】
【図１】本発明の実施例に係る、ピックアップ装置を備えたディスク装置の分解斜視図である。
【図２】第１実施例に係る、ピックアップ装置を各種方向から見た模式的な立体図である（ａ：光学部品有りの上面図、ｂ：光学部品無しの上面図、ｃ：光学部品無しの斜視図）。
【図３】比較例に係る、ピックアップ装置に固定されたハーフミラーと光軸との位置関係を示す側面図である（ａ：熱膨張前、ｂ：熱膨張後）。
【図４】第１実施例に係る、ピックアップ装置に固定されたハーフミラーと光軸との位置関係を示す側面図である（ａ：熱膨張前、ｂ：熱膨張後）。
【図５】第２実施例に係る、ピックアップ装置を各種方向から見た模式的な立体図である（ａ：光学部品有りの上面図、ｂ：光学部品無しの上面図、ｃ：光学部品無しの斜視図）。
【符号の説明】
【００２９】
１  ディスク装置
４１  光ディスク
５  ピックアップ装置
５１  ピックアップボディ
６１  レーザ光源体
８１  レーザ保持部
１１  合成プリズム
１２  コリメータレンズ
７５  マルチレンズ
７２  ＯＥＩＣプレート
１３  ハーフミラー
９５  ボディ底面
９６  ボディ底面孔
９７  ボディ横壁
９８  ボディ壁面
１００  第１スリット
１０１  第２スリット
【発明を実施するための最良の形態】
【００３０】
以下、本発明を実施するための最良の形態について実施例毎に順に図面に基づいて説明する。【００３１】
（１）第１実施例
図１から図４を参照して、第１実施例に係るピックアップ装置の基本構造について説明を進める。【００３２】
先ず、本実施例に係るピックアップ装置５を備えたディスク装置１の構成について、図１を参照して説明する。ここに、図１は、本発明の実施例に係る、ピックアップ装置を備えたディスク装置の分解斜視図である。【００３３】
図１において、ディスク装置１は、ＤＶＤやＣＤ等の光ディスク４１に記録された情報を再生し、あるいは光ディスク４１に情報を記録するディスク装置であり、外ケース２１と、外ケース２１の内部に設置された内ケース２５と、内ケース２５に対して進退可能に設けられ光学記録媒体としての光ディスク４１が載置されるディスクトレイ２９と、内ケース２５に設けられ光ディスク４１に対して情報の再生または記録を行う本体部３２と、本体部３２の動作を制御する電子部品を有する回路基板４０とを備えて構成されている。【００３４】
外ケース２１は、図１中において下面及び前面が開口した上ケース２２と、上ケース２２の下面を閉塞する下ケース２３と、上ケース２２の前面を閉塞する化粧板２４とを備えて構成され、全体としては扁平直方体形状である。【００３５】
内ケース２５は、上面及び前面が開口し、略中央に孔部２６１を有するケース底面２６と、このケース底面２６から立設されたケース側面２７を有する。【００３６】
ディスクトレイ２９は、略板状で上面には上方に向けて拡径する円形凹状で光ディスク４１が載置される載置凹部３０を有する。このディスクトレイ２９は、略中央部に略長方形状の開口部３１を有する。このディスクトレイ２９は、内ケース２５に設けられたトレイ駆動手段２８により進退される。【００３７】
本体部３２は、中央に孔部３３１を有し内ケース２５に設置された台座部３３と、台座部３３に設けられ光ディスク４１を回転させる回転駆動手段３４と、台座部３３の孔部３３１の一縁から他縁に移動し光ディスク４１の下面側に設けられた記録部に対してレーザ光の照射及び反射光の検出を行うピックアップ装置５と、ピックアップ装置５を進退移動させる移動手段３７とを備えて構成されている。ここで台座部３３は、平板枠状に形成されており、内ケース２５の孔部２６１に対して台座部３３の孔部３３１が重なるように設置されている。回転駆動手段３４は、光ディスク４１を載せて回転するターンテーブル３５と、このターンテーブル３５を回転駆動させる動力源としてのスピンドルモータ（不図示）とを備えて構成されている。ターンテーブル３５は、光ディスク４１の中心孔４１１に嵌挿される回転軸３５１と、回転軸３５１の外周面にフランジ状に突設され光ディスク４１の軸孔周縁が載置される鍔部３５２を有している。光ディスク４１がディスクトレイ２９に載置され内ケース２５の内側に移動されてきた際には、光ディスク４１はターンテーブル３５上に載置され、また、光ディスク４１の上面は内ケース２５のケース側面２７に架橋された支持部材３６に回転自在に設けられた回転子３６１により押さえられる。光ディスク４１がターンテーブル３５と回転子３６１とにて挟持された状態でスピンドルモータの駆動力により回転される。ピックアップ装置５については、図２を参照して後述する。移動手段３７は、一対のガイドシャフト３８と、移動用モータ３９とを備えて構成されている。ガイドシャフト３８は、それぞれ台座部３３の孔部３３１の一縁から他縁に軸方向を有して配設されている。ピックアップ装置５に対してガイドシャフト３８が挿通または係合されている。移動用モータ３９の駆動力によりピックアップ装置５は台座部３３の一縁から他縁に移動される。【００３８】
回路基板４０は、ピックアップ装置５の下方にピックアップ装置５から所定間隔を有して設けられている。回路基板４０は、移動用モータ３９やスピンドルモータの回転制御や、ピックアップ装置５の制御等を行う電子部品を有している。【００３９】
以上のような構成からなるディスク装置１による光ディスク４１の情報の読み取りについて説明する。先ず、ユーザがディスクトレイ２９を外ケース２１及び内ケース２５から外に引き出してディスクトレイ２９に光ディスク４１を載置する。光ディスク４１が載置されたディスクトレイ２９が、内ケース２５の内部に収納される。すると、ターンテーブル３５と回転子３６１に光ディスク４１が挟持されて、ターンテーブル３５の回転により光ディスク４１が回転される。このとき、ピックアップ装置５からレーザ光束が光ディスク４１に向かって発射され、光ディスク４１からの反射光はピックアップ装置５で検出される。この反射光の検出により光ディスク４１から情報が読み出される。また、ピックアップ装置５は、移動手段３７による移動によって光ディスク４１の所定部分にレーザ光束を照射する。すると、光ディスク４１から所定の情報が順次読み出される。【００４０】
続いて、本実施例に係るピックアップ装置５の構造について、図２から図４を参照して、比較例に係るピックアップ装置５と適宜比較しながら説明する。ここに、図２は、第１実施例に係る、ピックアップ装置を各種方向から見た模式的な立体図である（ａ：光学部品有りの上面図、ｂ：光学部品無しの上面図、ｃ：光学部品無しの斜視図）。【００４１】
図２（ａ）、図２（ｂ）及び図２（ｃ）において、ピックアップ装置５は、ピックアップボディ５１、レーザ光源体６１、レーザ保持部８１、合成プリズム１１、コリメータレンズ１２、マルチレンズ７５、ＯＥＩＣプレート７２、及びハーフミラー１３を備える。そして、これらの光学部品を介してレーザ光源体６１から出射されるレーザ光が伝達され、光軸９９が規定される。【００４２】
ピックアップボディ５１は、本発明に係る「ピックアップボディ」の一例であり、合成樹脂などにより形成されている。ピックアップボディ５１のボディ底面９５は、概略厚板形状で、一面側にレーザ光源体６１などの光学部品を有し、他面側にレーザ光束を光ディスク４１に向かって反射するレーザ反射部（不図示）を有している。ボディ底面９５には、一面側から他面側へと貫通するボディ底面孔９６が１又は複数形成されている。この孔は、例えばレーザ光或いは空気の通り道として用いられる。ボディ横壁９７は、ボディ底面９５と一体的に形成されており、ボディ底面９５から所定高さで立っている。ボディ横壁９７には、本発明に係る「スリット」の一例であり、幅ｗの細長い切口である第１スリット１００が、ボディ横壁９７を分断するかのように、Ｚ軸方向に形成されている。ここで、幅ｗは金型の強度等によって定められる値であり、例えば０．３［ｍｍ］である。図中では第１スリット１００が１本であるが、ボディ横壁９７の強度が許す限りにおいて、複数本形成されていてもよい。この場合には各々の幅や深さが互いに異なっていてもよい。【００４３】
レーザ光源体６１は、本発明に係る「熱源」の一例であり、光ディスク４１の種類に応じた波長のレーザ光を出射する際に発熱する。レーザ光源体６１の一端面は、レーザ光源体収納部５６から外部に臨んでおり、この一端面に電力ケーブル（不図示）等が接続されるコネクタピン６２を有する。【００４４】
レーザ保持部８１は、ピックアップボディ５１のボディ底面９５からＺ軸の負の方向に突出しており、レーザ光源体６１を保持するための保持孔８１２を有す。保持孔８１２は、レーザ光源体６１の外径と同等か一回り大きい、Ｙ軸方向に貫通した孔であり、ここにレーザ光源体６１がはめ込まれて保持される。このようにピックアップボディ５１に保持されたレーザ光源体６１は、ピックアップボディ５１と接しており熱的に接続されたことになるので、レーザ光源体６１により発せられた熱は、ピックアップボディ５１へと伝わる。【００４５】
合成プリズム１１は、例えば光の回折現象を利用してレーザ光を反射又は透過することが可能な光学部品であり、レーザ光源体６１から出射されたレーザ光の光路を適宜変更する。【００４６】
コリメータレンズ１２は、入射されるレーザ光を平行光にして出射する。【００４７】
マルチレンズ７５は、光ディスク４１の記録面からの信号光を、ＯＥＩＣプレート７２に付随するＯＥＩＣ（不図示）へと高集光率で集光するように構成される。【００４８】
ＯＥＩＣは、例えばフォトダイオードを備えて成り、マルチレンズ７５によって集光された、光ディスク４１の記録面からの信号光（復路光）を受光する。【００４９】
ハーフミラー１３は、本発明に係る「光学部品」の一例であり、入射されるレーザ光を所定の割合で透過と反射に分ける。レーザ光源体６１からの距離が互いに異なる２固定部を少なくとも含む複数固定部で、ピックアップボディ５１に固定されている。具体的には、ボディ底面９５に属する第1固定部１３１、及び該ボディ底面９５から立つボディ横壁９７のボディ壁面９８に属する第２固定部１３２で固定されている（図２（ｂ）及び（ｂ）参照）。すなわち、第1固定部１３１及び第２固定部１３２は、本発明に係る「前記熱源からの距離が互いに異なる２つの固定部」の一例である。【００５０】
光軸９９は、レーザ光源体６１から出射されるレーザ光の光軸であり、例えば図中の破線で示すように、ピックアップボディ５１に備わる各種光学部品を介して、次のように規定される。すなわち、光軸９９は、コリメータレンズ１２、ハーフミラー１３、マルチレンズ７５、及びＯＥＩＣを結んでなる。【００５１】
ここで、光ディスク４１の記録又は再生を行うには、光軸９９が最終的にＯＥＩＣによって好適に受光されるように、各種光学部品が厳格に配置される必要がある。
ところが、仮に第1スリット１００が形成されていないと、図３に示すように光軸９９が正規の位置からズレる、いわゆる光軸ズレが生じ得る。ここに、図３は、比較例に係る、ピックアップ装置に固定されたハーフミラーと光軸との位置関係を示す側面図である（ａ：熱膨張前、ｂ：熱膨張後）。【００５２】
図３（ａ）及び図３（ｂ）において、ボディ底面９５に対して直立するボディ横壁９７には、ハーフミラー１３が、ボディ底面９５に属する第1固定部１３１、及び該ボディ底面９５から立つボディ横壁９７のボディ壁面９８に属する第２固定部１３２で固定されている。そして本実施例とは異なり、ボディ横壁９７には第1スリット１００が形成されていないので、拘束力Ｆが軽減されず、いわゆる光軸ズレが生じ得る。【００５３】
より詳しくは、図３（ａ）に示すように、熱膨張前には、ハーフミラー１３の反射面がＺ軸方向と平行である。故に、Ｚ軸方向と直交して入射するレーザ光の入射方向と反射方向とは、少なくともＺ軸成分に関して、同じである。すなわち、いわゆる光軸ズレは生じていない。なお、ここで「少なくともＺ軸成分に関して」とは、Ｘ軸成分及びＹ軸成分までもが同じことを示すわけでない趣旨である。【００５４】
しかし、図３（ｂ）に示すように、熱膨張後には、ハーフミラー１３の反射面がＺ軸方向から角度θほど傾くので、いわゆる光軸ズレが生じることとなる。より詳しくは、例えば作動中のレーザ光源体６１のような熱源６１２からの距離に応じて各部が相対的に変位している。ここで、ハーフミラー１３を固定する第1固定部１３１と第２固定部１３２とは、熱源６１２からの距離が互いに異なるので、各固定部の変位量は互いに異なる。具体的には、第1固定部１３１の方が第２固定部１３２よりも、熱源６１２からの距離が短い分、大きく変位する。このとき、第1固定部１３１と第２固定部１３２とは同じピックアップボディ５１に属しており機械的に接続されていると考えられるので、第1固定部１３１が大きく変位するのにつられて、第２固定部１３２も変位し得る。ところが、ボディ横壁９７のうち第２固定部１３２の近傍部分も、熱源６１２からの距離が第1固定部１３１よりも長いので、変位量も比較的小さい。この近傍部分は、慣性により小さい変位量のままであり続け、分子間力等によって機械的に接続されている第２固定部１３２が変位するのを妨げる。つまり、第２固定部１３２の近傍部分が、分子間力等を介して、第２固定部１３２に対する足かせ、すなわち、本発明に係る「拘束力」の一例として作用し得る。このため、ハーフミラー１３の反射面がＺ軸方向から角度θほど傾く。故に、Ｚ軸方向（＝反射面）と直交して入射するレーザ光の入射方向と反射方向とは、Ｚ軸成分に関しても、異なる。具体的には、反射方向は入射方向から角度２θほどズレる。すなわち、いわゆる光軸ズレが生じることとなる。【００５５】
一方、本実施例に係る、ピックアップ装置５には、図２に示すように第1スリット１００が形成されているので、図４に示すように光軸ズレが低減される。ここに、図４は、第１実施例に係る、ピックアップ装置に固定されたハーフミラーと光軸との位置関係を示す側面図である（ａ：熱膨張前、ｂ：熱膨張後）。【００５６】
図４（ａ）及び図４（ｂ）において、本実施例では特に、ボディ横壁９７には第1スリット１００が形成されているので、いわゆる光軸ズレを低減できる。【００５７】
より詳しくは、図４（ａ）に示すように、図３（ａ）の比較例と同様に、熱膨張前には、いわゆる光軸ズレは生じていない。【００５８】
本実施例では更に、図３（ｂ）に示すように、熱膨張後でも、いわゆる光軸ズレは全く或いは殆ど生じていない。これは、比較例において拘束力の原因であった第２固定部１３２の近傍部分による拘束力Ｆが、第1スリット１００によって軽減されているからである。このように足かせがなければ、第２固定部１３２は、第1固定部１３１が変位するのに伴って、変位できる。このとき、固定されたハーフミラー１３は、ボディ底面９５に沿ってスライドすることになり、もって比較例で生じ得た光軸ズレを、解消或いは低減できる。【００５９】
以上まとめると、本実施例に係るピックアップ装置５は、次に記すような作用効果を奏する。【００６０】
先ず、上述したようにボディ横壁９７には第1スリット１００が形成されている。従って、レーザ光源体６１の作動によりピックアップボディ５１が熱膨張しても、第２固定部１３２を拘束する要因が解消されるので、熱膨張に起因した光軸ズレを好適に低減できる。【００６１】
このとき、第1スリット１００は、光軸９９と交わる方向（Ｚ軸方向）に形成されている。従って、光軸９９に沿った方向に働く拘束力が低減され、第1固定部１３１及び第２固定部１３２に係る光軸９９に沿った方向の変位量の差を低減できる。【００６２】
加えて、第1スリット１００は、第1固定部１３１及び第２固定部１３２を結んでなる直線Ｌ（図４参照）に沿った方向に形成される。このように形成されれば、直線Ｌと交わる方向に働く拘束力が軽減されるので、直線Ｌが傾く程度が軽減される。【００６３】
加えて、熱膨張に伴って変位する第1固定部１３１及び第２固定部１３２のうち少なくとも、レーザ光源体６１からの距離が長い第２固定部１３２に対しての拘束力が低減される。故に、レーザ光源体６１からの距離が短い第1固定部１３１が比較的大きく変位するのに伴って、第２固定部１３２が拘束力による足かせなく変位する。【００６４】
以上説明したように、本実施例に係るピックアップ装置５によると、熱膨張に起因した光軸ズレを好適に低減することが可能となり、実践上非常に有利である。【００６５】
（２）第２実施例
続いて、第２実施例に係るピックアップ装置５の構成及び動作処理を図１から図４に加えて図５を参照して説明する。ここに、図５は、第２実施例に係る、ピックアップ装置を各種方向から見た模式的な立体図である（ａ：光学部品有りの上面図、ｂ：光学部品無しの上面図、ｃ：光学部品無しの斜視図）。なお、上述した第1実施例と同様の構成には同一の符号を付し、その説明は適宜省略する。【００６６】
本実施例では特に、図５（ａ）、図５（ｂ）及び図５（ｃ）において、ボディ横壁９７に形成された第1スリット１００に加えて、ボディ底面９５に第２スリット１０１が形成されている。従って、光軸ズレを一段と低減できる。【００６７】
より詳しくは、スリット（第1スリット１００及び第２スリット１０１）が、第1固定部１３１及び第２固定部１３２の何れについても形成されている。従って、熱膨張時に、両固定部の変位による、ハーフミラー１３の傾きに対する影響が共に緩和される。【００６８】
このとき、第1スリット１００と第２スリット１０１とは、互いに連結するように形成されている。加えて、第２スリット１０１は、ボディ底面孔９６とも連結するように形成されている。従って、第1固定部１３１と第２固定部１３２との変位量が一段と揃う。【００６９】
以上、本実施例によると、熱膨張に起因した光軸ズレを、一層低減することが可能となり、実践上非常に有利である。【００７０】
なお、上述の実施例では、光学部品としてハーフミラー１３を用いたが、本発明の適用対象はこれに限られない。例えば、マルチレンズ７５、コリメータレンズ１２等に対しても適用可能である。その際、形成するスリットの位置、幅、深さ等は適宜変更されてよい。【００７１】
本発明は、上述した実施例に限られるものではなく、請求の範囲及び明細書全体から読み取れる発明の要旨、或いは思想に反しない範囲で適宜変更可能であり、そのような変更を伴うピックアップ装置もまた、本発明の技術的範囲に含まれるものである。
【産業上の利用可能性】
【００７２】
本発明に係るピックアップ装置は、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2008029437.tif 000003
【図２】
2008029437.tif 000004
【図３】
2008029437.tif 000005
【図４】
2008029437.tif 000006
【図５】
2008029437.tif 000007
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
筐体としてのピックアップボディと、
前記ピックアップボディと熱的に接続された熱源と、
前記熱源からの距離が互いに異なると共に前記ピックアップボディに属する２つの固定部を少なくとも含む複数固定部で、前記ピックアップボディに固定された光学部品と
を備えるピックアップ装置であって、
前記ピックアップボディには、前記２つの固定部のうち変位量が小さい一方の固定部が
前記熱源からの距離に応じた熱膨張によって変位するのを妨げる要因である拘束力を低減する方向であって、前記２つの固定部のうち変位量が大きい他方の固定部における前記熱源からの熱の伝達方向と交わる方向に、所定幅のスリットが少なくとも１本形成されている
ことを特徴とするピックアップ装置。
【請求項２】
前記スリットが形成される方向は、前記固定された光学部品を透過又は反射するレーザ光の光軸と交わる
ことを特徴とする請求項１に記載のピックアップ装置。
【請求項３】
前記スリットが形成される方向は、前記２つの固定部若しくは前記２つの固定部の各々に属する２点を結んでなる直線に沿う
ことを特徴とする請求項１に記載のピックアップ装置。
【請求項４】
（削除）
【請求項５】
前記２つの固定部は、前記ピックアップボディの底面に属する第１固定部及び該底面から立つ横壁の壁面に属する第２固定部である
ことを特徴とする請求項１に記載のピックアップ装置。
【請求項６】
前記スリットは、前記ピックアップボディの底面及び該底面から立つ横壁の壁面の夫々に形成されている
ことを特徴とする請求項５に記載のピックアップ装置。
【請求項７】
前記ピックアップボディの底面及び該底面から立つ横壁の壁面の夫々に形成される前記スリットが、互いに連結するように形成されている
ことを特徴とする請求項６に記載のピックアップ装置。
【請求項８】
前記スリットは、前記２つの固定部のうちの一方の固定部が属する前記ピックアップボディの面及び前記２つの固定部のうちの他方の固定部が属する面の夫々に形成されていることを特徴とする請求項１に記載のピックアップ装置。
【請求項９】
前記２つの固定部のうちの一方の固定部が属する前記ピックアップボディの面及び前記２つの固定部のうちの他方の固定部が属する面の夫々に形成されている前記スリットが、互いに連結するように形成されている
ことを特徴とする請求項８に記載のピックアップ装置。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
筐体としてのピックアップボディと、
前記ピックアップボディと熱的に接続された熱源と、
前記熱源からの距離が互いに異なると共に前記ピックアップボディに属する２つの固定部を少なくとも含む複数固定部で、前記ピックアップボディに固定された光学部品と
を備えるピックアップ装置であって、
前記ピックアップボディには、前記２つの固定部のうち変位量が小さい一方の固定部が、前記熱源からの距離に応じた熱膨張によって変位するのを妨げる要因である拘束力を低減する方向であって、前記２つの固定部のうち変位量が大きい他方の固定部における前記熱源からの熱の伝達方向と交わる方向に、所定幅のスリットが少なくとも１本形成されている
ことを特徴とするピックアップ装置。
【請求項２】
前記スリットが形成される方向は、前記固定された光学部品を透過又は反射するレーザ光の光軸と交わる
ことを特徴とする請求項１に記載のピックアップ装置。
【請求項３】
前記スリットが形成される方向は、前記２つの固定部若しくは前記２つの固定部の各々に属する２点を結んでなる直線に沿う
ことを特徴とする請求項１に記載のピックアップ装置。
【請求項４】
前記少なくとも一方の固定部は、前記２つの固定部のうち、変位量が小さい固定部である
ことを特徴とする請求項１に記載のピックアップ装置。
【請求項５】
前記２つの固定部は、前記ピックアップボディの底面に属する第1固定部及び該底面から立つ横壁の壁面に属する第２固定部である
ことを特徴とする請求項１に記載のピックアップ装置。
【請求項６】
前記スリットは、前記ピックアップボディの底面及び該底面から立つ横壁の壁面の夫々に形成されている
ことを特徴とする請求項５に記載のピックアップ装置。
【請求項７】
前記ピックアップボディの底面及び該底面から立つ横壁の壁面の夫々に形成される前記スリットが、互いに連結するように形成されている
ことを特徴とする請求項６に記載のピックアップ装置。
【請求項８】
前記スリットは、前記２つの固定部のうちの一方の固定部が属する前記ピックアップボディの面及び前記２つの固定部のうちの他方の固定部が属する面の夫々に形成されていることを特徴とする請求項１に記載のピックアップ装置。
【請求項９】
前記２つの固定部のうちの一方の固定部が属する前記ピックアップボディの面及び前記２つの固定部のうちの他方の固定部が属する面の夫々に形成されている前記スリットが、互いに連結するように形成されている
ことを特徴とする請求項８に記載のピックアップ装置。
【国際調査報告】
2008029437.tif 000008
2008029437.tif 000009
2008029437.tif 000010
2008029437.tif 000011